【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
試験を試験片に適用し、そこから測定値を取得するように構成される、試験機システムであって、該試験機システムは、
少なくとも１つのコンピュータであって、該コンピュータは、グラフィカルユーザインターフェースを有する、コンピュータと、
該少なくとも１つのコンピュータ上で動作するように構成される試験手順発生器であって、該試験手順発生器は、該グラフィカルユーザインターフェースを使用してユーザ入力を受信し、接続されたグラフィックアイコンによって表される試験手順を作成するように構成されるワークフロープログラムを含み、該試験手順発生器は、該試験手順を表す人間によって可読なテキスト出力を出力するように構成される、試験手順発生器と、
試験を試験片に適用するように構成される制御可能な要素を有する試験機と、
該少なくとも１つのコンピュータ上で動作するように構成されるシステムコントローラであって、該テキスト出力に関連するデータを受信し、該試験手順によって定義されるように該制御可能な要素を制御するように構成される、システムコントローラと
を備える、試験機システム。
【請求項２】
前記システムコントローラは、複数のモジュールを備え、該モジュールの各々は、該試験手順の要素に対応し、前記試験機は、前記少なくとも１つのコンピュータ上で動作するように構成される実行エンジンモジュールをさらに備え、前記実行エンジンは、前記テキスト出力を受信し、該テキスト出力の一部分に基づいて選択されたモジュールを開始するコマンドを提供するように構成される、請求項１に記載の試験機システム。
【請求項３】
前記複数のモジュールのうちの第１のモジュールは、複数の制御フロー分岐の中の試験手順制御フローを実行するように構成される、請求項２に記載の試験機システム。
【請求項４】
前記複数のモジュールのうちの第２のモジュールは、前記制御可能な要素を制御するように構成される、請求項３に記載の試験機システム。
【請求項５】
前記第２のモジュールは、前記フロー制御分岐のうちの１つの一部である、請求項４に記載の試験機システム。
【請求項６】
前記テキスト出力は、マークアップ言語を備える、請求項１〜５のいずれか一項に記載の試験機システム。
【請求項７】
前記マークアップ言語は、ＸＭＬを備える、請求項６に記載の試験機システム。
【請求項８】
試験を試験片に適用し、そこから測定値を取得するように構成される試験機システムであって、該試験機システムは、
少なくとも１つのコンピュータであって、該コンピュータは、グラフィカルユーザインターフェースを有する、コンピュータと、
該少なくとも１つのコンピュータ上で動作するように構成される試験手順発生器であって、該試験手順発生器は、該グラフィカルユーザインターフェースを使用してユーザ入力を受信し、接続されたグラフィックアイコンによって表される試験手順を作成するように構成されるワークフロープログラムを含み、該試験手順発生器は、該試験手順を表す人間によって可読なテキスト出力を出力するように構成される、試験手順発生器と、
該試験片に負荷を印加するか、または該試験片を変位させるように構成されるアクチュエータアセンブリを備える試験機と、
該少なくとも１つのコンピュータ上で動作するように構成される実行エンジンモジュールであって、該実行エンジンは、該テキスト出力を受信し、該試験手順によって定義されるように該アクチュエータアセンブリを制御するための基礎として使用するためのコマンドを提供するように構成される、実行エンジンモジュールと
を備える、試験機システム。
【請求項９】
試験手順に従って試験機を制御するコンピュータ実装方法であって、該試験機は、複数のモジュールを有し、該モジュールの各々は、該試験手順の要素に対応し、該方法は、
該試験手順の要素を表す接続されたグラフィックアイコンを使用して試験手順を構成するように、グラフィカルユーザインターフェースを用いてコンピュータ上でワークフロープログラムを操作することと、
該試験手順を表す、人間によって可読な形態のテキスト出力データを生成するように前記ワークフロープログラムを操作することと、
該テキスト出力の一部分に基づいて、該複数のモジュールのうちの選択されたモジュールを開始するために、該テキスト出力データにアクセスすることであって、該モジュールは、試験片に動作可能に連結される制御可能な要素を制御するように構成される、ことと
を含む、方法。
【請求項１０】
試験を試験片に適用し、そこから測定値を取得するように構成される試験機システムであって、
少なくとも１つのコンピュータであって、グラフィカルユーザインターフェースを有するコンピュータと、
試験を試験片に適用するように構成される制御可能な要素を有する試験機と、
該少なくとも１つのコンピュータ上で動作するように構成される試験手順発生器であって、該試験手順発生器は、該グラフィカルユーザインターフェースを使用してユーザ入力を受信し、該制御可能な要素を制御する、対応するアクティビティを表す接続されたグラフィックアイコンによって表される試験手順を作成するように構成されるワークフロープログラムを含む、試験手順発生器と
を備える、試験機システム。
【請求項１１】
前記試験手順は、並行経路を含み、前記グラフィックアイコンのうちの１つにおいて、２つの分岐を有する並行経路を表し、第１のアクティビティは、第１の分岐を備え、第２のアクティビティは、第２の分岐を備える、請求項１０に記載の試験機。
【請求項１２】
前記第１のアクティビティは、前記制御可能な要素を制御することを含み、前記第２のアクティビティは、データ取得を含む、請求項１１に記載の試験機。
【請求項１３】
前記グラフィックアイコンのうちの１つは、ループを表し、アクティビティは、該ループの中に位置する、請求項１０〜１２のいずれか一項に記載の試験機。
【請求項１４】
前記試験手順は、２つの経路を伴う条件を含み、前記グラフィックアイコンのうちの１つにおいて、２つの分岐を有する該条件を表し、第１のアクティビティは、第１の分岐を含み、第２のアクティビティは、第２の分岐を含む、請求項１０〜１３のいずれか一項に記載の試験機。
【請求項１５】
試験手順に従って試験機を制御するコンピュータ実装方法であって、該方法は、
試験手順のアクティビティを表す接続されたグラフィックアイコンを使用して該試験手順を構成するために、グラフィカルユーザインターフェースを用いてコンピュータ上でワークフロープログラムを操作することと、
該ワークフロープログラムから出力を取得し、該配設されたグラフィックアイコンに従って該試験機を制御するために該出力を使用することと
を含む、方法。
【手続補正２】
【補正対象書類名】明細書
【補正対象項目名】００１３
【補正方法】変更
【補正の内容】
【００１３】
またさらなる側面では、試験機システムは、試験を試験片に適用し、そこから測定値を取得するように構成される。試験機システムは、少なくとも１つのコンピュータを含む。コンピュータは、グラフィカルユーザインターフェースを有する。試験機は、試験を試験片に適用するように構成される、制御可能な要素を有する。試験手順発生器は、少なくとも１つのコンピュータ上で動作するように構成される。試験手順発生器は、グラフィカルユーザインターフェースを使用してユーザ入力を受信し、制御可能な要素を制御するための対応するアクティビティを表す、接続されたグラフィックアイコンによって表される試験手順を作成するように構成される、ワークフロープログラムを含む。また別の側面では、試験手順に従って試験機を制御するための、コンピュータ実装方法が提供される。方法は、試験手順のアクティビティを表す、接続されたグラフィックアイコンを使用して試験手順を構成するように、グラフィカルユーザインターフェースを用いてコンピュータ上でワークフロープログラムを操作するステップと、ワークフロープログラムから出力を取得し、配設されたグラフィックアイコンに従って試験機を制御するように、出力を使用するステップとを含む。
本発明は、例えば、以下の項目も提供する。
（項目１）
試験を試験片に適用し、そこから測定値を取得するように構成される、試験機システムであって、該試験機システムは、
少なくとも１つのコンピュータであって、該コンピュータは、グラフィカルユーザインターフェースを有する、コンピュータと、
該少なくとも１つのコンピュータ上で動作するように構成される試験手順発生器であって、該試験手順発生器は、該グラフィカルユーザインターフェースを使用してユーザ入力を受信し、接続されたグラフィックアイコンによって表される試験手順を作成するように構成されるワークフロープログラムを含み、該試験手順発生器は、該試験手順を表す人間によって可読なテキスト出力を出力するように構成される、試験手順発生器と、
試験を試験片に適用するように構成される制御可能な要素を有する試験機と、
該少なくとも１つのコンピュータ上で動作するように構成されるシステムコントローラであって、該テキスト出力に関連するデータを受信し、該試験手順によって定義されるように該制御可能な要素を制御するように構成される、システムコントローラと
を備える、試験機システム。
（項目２）
前記システムコントローラは、複数のモジュールを備え、該モジュールの各々は、該試験手順の要素に対応し、前記試験機は、前記少なくとも１つのコンピュータ上で動作するようにさらに構成される実行エンジンモジュールをさらに備え、前記実行エンジンは、前記テキスト出力を受信し、該テキスト出力の一部分に基づいて選択されたモジュールを開始するコマンドを提供するように構成される、項目１に記載の試験機システム。
（項目３）
前記複数のモジュールのうちの第１のモジュールは、複数の制御フロー分岐の中の試験手順制御フローを実行するように構成される、項目２に記載の試験機システム。
（項目４）
前記複数のモジュールのうちの第２のモジュールは、前記制御可能な要素を制御するように構成される、項目３に記載の試験機システム。
（項目５）
前記第２のモジュールは、前記フロー制御分岐のうちの１つの一部である、項目４に記載の試験機システム。
（項目６）
前記実行エンジンモジュールは、前記複数のモジュールのうちの少なくともいくつかから、前記試験片において行われる試験を示すデータを受信し、前記グラフィカルユーザインターフェースを介して前記ユーザにレンダリングするために、前記ワークフロープログラムに前記データを提供するように構成される、項目５に記載の試験機システム。
（項目７）
前記実行エンジンモジュールは、前記複数のモジュールのうちの少なくともいくつかからの、前記試験片において行われる試験を示す受信されたデータに基づいて、値を計算するように構成される、項目６に記載の試験機システム。
（項目８）
前記テキスト出力は、マークアップ言語を備える、項目６に記載の試験機システム。
（項目９）
前記マークアップ言語は、ＸＭＬを備える、項目８に記載の試験機システム。
（項目１０）
前記試験機は、アクチュエータアセンブリを備える、項目６に記載の試験機システム。
（項目１１）
前記試験機は、少なくとも１つのアクチュエータと、該アクチュエータを制御するように構成されるサーボコントローラとを備え、前記システムコントローラは、前記第２のモジュールの稼動に基づいて、該アクチュエータに入力を提供するように、該サーボコントローラに動作可能に連結される、項目１０に記載の試験機システム。
（項目１２）
前記複数のモジュールは、階層的な態様で動作するように構成される、項目２に記載の試験機システム。
（項目１３）
試験を試験片に適用し、そこから測定値を取得するように構成される試験機システムであって、該試験機システムは、
少なくとも１つのコンピュータであって、該コンピュータは、グラフィカルユーザインターフェースを有する、コンピュータと、
該少なくとも１つのコンピュータ上で動作するように構成される試験手順発生器であって、該試験手順発生器は、該グラフィカルユーザインターフェースを使用してユーザ入力を受信し、接続されたグラフィックアイコンによって表される試験手順を作成するように構成され、該試験手順発生器は、該試験手順を表す人間によって可読なテキスト出力を出力するように構成される、試験手順発生器と、
該試験片に負荷を印加するか、または該試験片を変位させるように構成されるアクチュエータアセンブリを備える試験機と、
該少なくとも１つのコンピュータ上で動作するように構成される実行エンジンモジュールであって、該実行エンジンは、該テキスト出力を受信し、該試験手順によって定義されるように該アクチュエータアセンブリを制御するための基礎として使用するためのコマンドを提供するように構成される、実行エンジンモジュールと
を備える、試験機システム。
（項目１４）
前記実行エンジンモジュールは、前記試験片において行われる試験を示すデータを受信し、前記グラフィカルユーザインターフェースを介してユーザにレンダリングするために、前記ワークフロープログラムに該データを提供するように構成される、項目１３に記載の試験機システム。
（項目１５）
前記実行エンジンモジュールは、前記複数のモジュールのうちの少なくともいくつかからの前記試験片において行われる試験を示す、受信されたデータに基づいて、値を計算するように構成される、項目１４に記載の試験機システム。
（項目１６）
複数のモジュールをさらに備え、該モジュールの各々は、前記試験手順の要素に対応し、前記実行エンジンモジュールは、前記少なくとも１つのコンピュータ上で動作するように構成され、該実行エンジンは、前記テキスト出力を受信し、該テキスト出力の一部分に基づいて選択されたモジュールを開始するコマンドを提供するように構成される、項目１３に記載の試験機システム。
（項目１７）
前記複数のモジュールのうちの第１のモジュールは、複数の制御フロー分岐の中の試験手順制御フローを実行するように構成される、項目１６に記載の試験機システム。
（項目１８）
前記複数のモジュールのうちの第２のモジュールは、前記制御可能な要素を制御するように構成される、項目１７に記載の試験機システム。
（項目１９）
前記第２のモジュールは、前記フロー制御分岐のうちの１つの一部である、項目１８に記載の試験機システム。
（項目２０）
前記実行エンジンモジュールは、前記複数のモジュールのうちの少なくともいくつかから、前記試験片において行われる試験を示すデータを受信し、前記グラフィカルユーザインターフェースを介してユーザにレンダリングする前記ワークフロープログラムに該データを提供するように構成される、項目１９に記載の試験機システム。
（項目２１）
前記実行エンジンモジュールは、前記複数のモジュールのうちの少なくともいくつかからの、前記試験片において行われる試験を示す受信されたデータに基づいて、値を計算するように構成される、項目２０に記載の試験機システム。
（項目２２）
前記複数のモジュールは、階層的に動作するように構成される、項目２１に記載の試験機システム。
（項目２３）
試験手順に従って試験機を制御するコンピュータ実装方法であって、該試験機は、複数のモジュールを有し、該モジュールの各々は、該試験手順の要素に対応し、該方法は、
該試験手順の要素を表す、接続されたグラフィックアイコンを使用して試験手順を構成するように、グラフィカルユーザインターフェースを用いてコンピュータ上でワークフロープログラムを操作することと、
該試験手順を表す、人間によって可読な形態でテキスト出力データを生成するように前記ワークフロープログラムを操作することと、
該テキスト出力の一部分に基づいて、該複数のモジュールのうちの選択されたモジュールを開始するために、該テキスト出力データにアクセスすることであって、該モジュールは、試験片に動作可能に連結される制御可能な要素を制御するように構成される、ことと
を含む、方法。
（項目２４）
前記テキスト出力は、階層的な態様で配設された試験要素を備え、アクセスすることは、階層的な態様で前記複数のモジュールのうちのモジュールを開始することを含む、項目２３に記載のコンピュータ実装方法。
（項目２５）
前記複数のモジュールのうちの少なくともいくつかから、前記試験片において行われる試験を示すデータを受信することと、前記グラフィカルユーザインターフェースを介してユーザにレンダリングする前記ワークフロープログラムに該データを提供することとをさらに含む、項目２４に記載のコンピュータ実装方法。
（項目２６）
前記複数のモジュールのうちの少なくともいくつかからの、前記試験片において行われる試験を示す受信されたデータに基づいて、値を計算することをさらに含む、項目２５に記載のコンピュータ実装方法。
（項目２７）
試験を試験片に適用し、そこから測定値を取得するように構成される試験機システムであって、
少なくとも１つのコンピュータであって、グラフィカルユーザインターフェースを有するコンピュータと、
試験を試験片に適用するように構成される制御可能な要素を有する試験機と、
該少なくとも１つのコンピュータ上で動作するように構成される試験手順発生器であって、該試験手順発生器は、該グラフィカルユーザインターフェースを使用してユーザ入力を受信し、該制御可能な要素を制御する、対応するアクティビティを表す接続されたグラフィックアイコンによって表される試験手順を作成するように構成されるワークフロープログラムを含む、試験手順発生器と
を備える、試験機システム。
（項目２８）
前記試験手順は、並行経路を含み、前記グラフィックアイコンのうちの１つにおいて、２つの分岐を有する並行経路を表し、第１のアクティビティは、第１の分岐を備え、第２のアクティビティは、第２の分岐を備える、項目２７に記載の試験機。
（項目２９）
前記第１のアクティビティは、前記制御可能な要素を制御することを含み、前記第２のアクティビティは、データ取得を含む、項目２８に記載の試験機。
（項目３０）
前記グラフィックアイコンのうちの１つにおいて、ループを表し、アクティビティは、該ループの中に位置する、項目２７に記載の試験機。
（項目３１）
前記試験手順は、２つの経路を伴う条件を含み、前記グラフィックアイコンのうちの１つにおいて、２つの分岐を有する該条件を表し、第１のアクティビティは、第１の分岐を含み、第２のアクティビティは、第２の分岐を含む、項目２７に記載の試験機。
（項目３２）
試験手順に従って試験機を制御するコンピュータ実装方法であって、該方法は、
試験手順のアクティビティを表す接続されたグラフィックアイコンを使用して該試験手順を構成するために、グラフィカルユーザインターフェースを用いてコンピュータ上でワークフロープログラムを操作することと、
該ワークフロープログラムから出力を取得し、該配設されたグラフィックアイコンに従って該試験機を制御するために該出力を使用することと
を含む、方法。